(57)【特許請求の範囲】
【請求項１】
周壁(2) 上端縁より頂壁(3) を延設するとともに、装着した容器(9) 内の収納物を揮散するための通気孔(4) 及び揮散調整用の窓孔(5) を穿設し、且つ、窓孔(5) を開閉可能に閉塞する可動板部(6) を下方への弾性反転が可能に一体に設けてなり、上記窓孔(5) が、周壁(2) から頂壁(3) に至る帯状をなし、上記可動板部(6) が、窓孔(5) の縁部に沿って縁部を位置させるとともに、窓孔(5) の下端縁部及び後端縁部に薄肉ヒンジ(7) を介して下端縁部及び後端縁部をそれぞれ連結したＬ字板状をなし、且つ、折曲部分を横断する薄肉ヒンジ(7) を設けてなることを特徴とする容器の蓋。
【請求項２】
周壁(2) 上端縁より頂壁(3) を延設するとともに、装着した容器(9) 内の収納物を揮散するための通気孔(4) 及び揮散調整用の窓孔(5) を穿設し、且つ、窓孔(5) を開閉可能に閉塞する可動板部(6) を下方への弾性反転が可能に一体に設けてなり、上記窓孔(5) が、ドーム状の頂壁(3) 中央の押圧部用スペース(5a)より放射状に複数の帯状部(5b)を延設してなり、上記可動板部(6) が、窓孔(5) の縁部に沿って縁部を位置させるとともに、頂壁(3) 中央の押圧部(6c)より放射状に複数延設した帯状板部(6d)の下端縁をそれぞれ窓孔(5) の帯状部(5b)下端縁に一体に連結し、且つ、各帯状板部(6d)の上部及び下部をそれぞれ横断する薄肉ヒンジ(7) を設けてなることを特徴とする容器の蓋。
【請求項３】
上記可動板部(6) に、下方へ弾性反転した可動板部(6) を復帰させる際の指係止手段を設けてなる請求項１又は請求項２のいずれかに記載の容器の蓋。
【発明の詳細な説明】
【０００１】
【発明の属する技術分野】
本発明は容器の蓋に関し、詳しくは、芳香剤等の揮発性物質を収納する容器等に被着させるのに好適な容器の蓋に関する。
【０００２】
【従来の技術】
芳香剤等の揮発性物質などを収納する容器では、収納物の揮発量の経時変化により開口部の開口面積を相違させることができるよう構成したものがある。この様な容器として、例えば以下の如き蓋を備えたものが提案されている。即ち、伏椀状の蓋体の頂板部を周辺の固定部と中央の可動部とに分割線空間を介して分割し、可動部は高位置の中央押動部とこの中央押動部から放射状に延びる複数の可動片部とからなり、各可動片部はその内外方向中間位置の両側において１対の連結軸部によって周辺固定部に結合され、また、各可動片部は中央押動部と連結軸部との中間位置においてヒンジ部を有し、中央押動部を押し下げたとき各可動片部の先端が上方へ開き、可動片部の先端を押し下げたとき中央押動部及び各可動片部がもとの位置に戻るように構成するとともに、全体を樹脂で一体成形している。（特開平１０−２９１５５３号）
【０００３】
この種の蓋は必要に応じて開口部の開口面積を広くすることができる便利があり、収納物の揮発量の多い使用当初には通常の狭い開口面積で使用し、揮発量が少なくなった際に開口面積を広げることにより変わらぬ効果を得られるものである。しかしながら、各可動片部の先端が上方へ開いている広い開口状態では連結軸部が常時捩じれた状態で元に戻ろうとする状態であり、しかも、各可動片部はヒンジに於いて屈折しているだけであるため、広い開口状態を安定的に維持する点で未だ満足のいかない部分があった。
【０００４】
【発明が解決しようとする課題】
本発明は上記した如き芳香剤等の揮発性物質を収納する容器に被着する蓋であって、必要に応じて簡単に開口部の大小を変化させることができ、しかも、狭い開口面積の場合はもとより、広い開口面積での安定した状態を維持でき、構造も極めて簡単で合成樹脂により一体成形が可能な優れた容器の蓋を提案するものである。
【０００５】
【課題を解決するための手段】
第１の手段として、以下の通り構成した。即ち、周壁２上端縁より頂壁３を延設するとともに、装着した容器９内の収納物を揮散するための通気孔４及び揮散調整用の窓孔５を穿設し、且つ、窓孔５を開閉可能に閉塞する可動板部６を下方への弾性反転が可能に一体に設けてなり、上記窓孔５が、周壁２から頂壁３に至る帯状をなし、上記可動板部６が、窓孔５の縁部に沿って縁部を位置させるとともに、窓孔５の下端縁部及び後端縁部に薄肉ヒンジ７を介して下端縁部及び後端縁部をそれぞれ連結したＬ字板状をなし、且つ、折曲部分を横断する薄肉ヒンジ７を設けた。
【０００７】
第２の手段として、以下の通り構成した。即ち、周壁２上端縁より頂壁３を延設するとともに、装着した容器９内の収納物を揮散するための通気孔４及び揮散調整用の窓孔５を穿設し、且つ、窓孔５を開閉可能に閉塞する可動板部６を下方への弾性反転が可能に一体に設けてなり、上記窓孔５が、ドーム状の頂壁３中央の押圧部用スペース5aより放射状に複数の帯状部5bを延設してなり、上記可動板部６が、窓孔５の縁部に沿って縁部を位置させるとともに、頂壁３中央の押圧部6cより放射状に複数延設した帯状板部6dの下端縁をそれぞれ窓孔５の帯状部5b下端縁に一体に連結し、且つ、各帯状板部(6d)の上部及び下部をそれぞれ横断する薄肉ヒンジ(7) を設けた。
【０００８】
第３の手段として、以下の通り構成した。即ち、前記第１の手段又は第２の手段のいずれかの手段に於いて、上記可動板部６に、下方へ弾性反転した可動板部６を復帰させる際の指係止手段を設けた。
【０００９】
【発明の実施の形態】
以下、本発明の実施例の形態を図面を参照して説明する。
【００１０】
図面に示す如く本発明の容器の蓋１は、合成樹脂により一体に形成されたもので、周壁２上端縁より頂壁３を延設するとともに、装着した容器内の収納物を揮散するための通気孔４及び揮散調整用の窓孔５を設けている。また、窓孔５を開閉可能に閉塞する可動板部６を下方への弾性反転が可能に一体に設けている。
【００１１】
本発明に於ける通気孔４は、通常の状態で被着した容器の収納物を揮散させるためのもので、その形状，開口面積，開口位置等は適宜選択することができる。図１の実施例では、頂壁３から周壁２に亘り線状に延びる鉤型の通気孔を両側にそれぞれ多数並設している。また、図４に示す実施例では、両側前後に延びる細帯状の通気孔４を設けている。
【００１２】
また、窓孔５は被着した容器内の収納物が時間の経過に伴いその揮散量が少なくなった場合や多量の揮散を行いたい場合に可動板部６を操作して開口し、揮散量の調整を行うためのものであり、その形状も可動板部６の形状に併せて種々選択することができ、例えば、図１の実施例の如き周壁２から頂壁３に亘る帯状のものや、図４の実施例の如き放射状の帯状部を有するもの等種々採用することができる。
【００１３】
可動板部６の形態も上記した要件を満たせば種々選択できるものであり、常時は窓孔５縁部に沿って縁部を位置させることにより、窓孔５を閉塞している。但し、その主旨から窓孔５を完全に密封する必要はなく、若干の隙間或いは後述する指掛け用透孔を設けることは問題がない。また、下方への弾性反転が可能とは、常態で安定している可動板部６を上方より押圧して、全体或いは部分的に弾性変形させ、更に押し込むことにより負荷の掛からない安定した状態まで変移することをいい、その形状は周壁２及び／又は頂壁３に穿設した窓孔を閉塞する形態であれば種々採用できる。
【００１４】
図１乃至図３は本発明の一実施例を示し、本実施例に於ける蓋１は、円筒状の周壁２上端縁より平板状の頂壁３を延設しており、また、周壁２下部より頂壁３後部に至る帯状の窓孔５を穿設している。また、窓孔５下端縁部及び後端縁部に薄肉ヒンジ７を介して下端縁部及び後端縁部をそれぞれ連結したＬ字板状をなし、更に、折曲部分を横断する薄肉ヒンジ７を設けて下方への弾性反転を可能に構成した可動板部６を設けている。また、可動板部６の水平板部分には、下方へ弾性反転した可動板部６を復帰させる際の指係止手段として、指掛け孔８を穿設している。尚、指係止手段の形態としては、この様な指掛け孔に限らず、図示しないが、指で掴む突起形態のものであっても良い。
【００１５】
上記した蓋１は、図面に示す如く、容器９に装着して使用する。図示例では、円筒状をなす容器９の外周上端に周壁２を嵌合させて装着している。使用当初等の装着した容器内の収納物の揮散量の多い場合には、図１に示す窓孔５が閉じた状態で通気孔４より収納物を揮散させて使用する。時間が経過して収納物の揮散量が少なくなった場合や、特別に揮散量を増やしたい場合には、図１の状態から可動板部６を押し下げると、下方に弾性的に反転して窓孔５を開口する。また、窓孔５開口状態から閉塞状態に戻したい場合には、帯状板部6dに穿設した指掛け孔８に指を掛けて引き上げれば元の状態に戻る。
【００１６】
帯状板部の弾性反転は図２に実線で示す状態からその水平板部6aを押し下げると、水平板部6a及び垂直板部6bともどもその長さを縮める様に弾性変形して水平板部6aにあっては点Ａを中心に、垂直板部6bにあっては点Ｂを中心に、それぞれ回動する。そして、図２の２点鎖線で示す様に点Ｃに於いて各板部6a，6bはもとの弾性変形しない状態に戻り、この位置で安定状態となり、弾性反転が完了する。
【００１７】
図４乃至図６は本発明の他の実施例を示し、本実施例に於ける蓋１は、周壁２上端縁よりドーム状の頂壁３を延設している。また、本実施例に於ける窓孔５は、前後縁が直線状の略円形状をなす押圧部用スペース5aより前後に一対の帯状部5bを延設している。尚、帯状部5bは図示例の２箇所のにみ限らず３箇所以上あっても良い。また、押圧部用スペース5aの形状もこれに限られず、可動板部６の形状にあわせて種々の形状を採用できる。
【００１８】
また、可動板部６は、窓孔５縁部に沿って縁部を位置させるとともに、頂壁３中央の押圧部6cより放射状に複数延設した帯状の帯状板部6dの下端縁をそれぞれ帯状部5b下端縁に一体に連結してなり、各帯状板部6d上下を横断する薄肉ヒンジ７をそれぞれ設けて可動板部６の下方への弾性反転が可能に構成している。図示例では押圧部6cの中央に中空円錐台形状の突出部を設け、該突出部の側壁に、図１の実施例と同様の指係止手段としての指掛け孔８を穿設している。
【００１９】
本実施例の蓋１は同様に容器９に装着して使用する。また、使用当初等の装着した容器内の収納物の揮散量の多い場合には、図４に示す窓孔５が閉じた状態で通気孔４より収納物を揮散させて使用する。時間が経過して収納物の揮散量が少なくなった場合や、特別に揮散量を増やしたい場合には、図１の状態から押圧部6cを押し下げると、各帯状板部6dが下方に弾性的に反転して窓孔５を開口する。また、窓孔５開口状態から閉塞状態に戻したい場合には、指掛け孔８に指を掛けて引き上げれば元の状態に戻る。
【００２０】
帯状板部の弾性反転は図５に実線で示す状態から押圧部6cを押し下げると、各帯状板部6dが縮む様に弾性変形して、それぞれ点Ｄを中心に回動する。そして、図５の２点鎖線で示す様に点Ｅに於いて各帯状板部6dはもとの弾性変形しない状態に戻り、この位置で安定状態となり、弾性反転が完了する。
【００２１】
【発明の効果】
以上説明した如く本発明の容器の蓋は、既述構成としたことにより、使用当初は通気孔４より適当量の収納物を揮散させることができ、また、時間が経過し収納物の揮散量が少なくなった場合には、可動板部６を押し下げて弾性反転させれば窓孔５が開口して揮散量の減少を充分補うことができる。また、可動板部６は下方へ弾性反転するため、窓孔開口状態を安定的に維持でき、帯状板部6dが自然に閉じてしまう等の不都合を生じることはない。更に、構造も極めて簡単で合成樹脂により一体成形が可能であり、安価に且つ容易に製造できる利点もある。
【００２２】
また、窓孔５の開口方向に方向性を持たせることができる利点がある。
【００２３】
更に、第２の手段の蓋では、薄肉ヒンジ７を多く設けているため可動板部６を比較的無理なく反転できる利点を兼ね備えている。
【００２４】
また、第３の手段の蓋では、下方へ弾性反転した可動板部を必要に応じて簡単に復帰させることができる利点を兼ね備える。
【図面の簡単な説明】
【図１】本発明の一実施例を示す斜視図である。
【図２】同実施例の可動板部の反転を説明する説明図である。
【図３】同実施例の可動板部が反転した状態の斜視図である。
【図４】本発明の他の実施例を示す斜視図である。
【図５】同実施例の可動板部の反転を説明する説明図である。
【図６】同実施例の可動板部が反転した状態の斜視図である。
【符号の説明】
２…周壁，３…頂壁，４…通気孔，５…窓孔，６…可動板部，6c…押圧部，
6d…帯状板部，７…薄肉ヒンジ，
【図１】
0004152579.tif 000002
【図２】
0004152579.tif 000003
【図３】
0004152579.tif 000004
【図４】
0004152579.tif 000005
【図５】
0004152579.tif 000006
【図６】
0004152579.tif 000007